(57)【特許請求の範囲】
【請求項１】
第１のサンプリング周波数で量子化されたマルチビットデジタルオーディオ信号が記録された第１の層と、上記第１のサンプリング周波数と比して十分高い第２のサンプリング周波数で量子化された上記マルチビットデジタルオーディオ信号に比して高音質な１ビットデジタルオーディオ信号が記録された第２の層から構成されるマルチレイヤーディスクを再生することのできるマルチレイヤーディスク再生装置において、
上記第１の層に記録されたマルチビットデジタルオーディオ信号と、上記第１の層に記録されたマルチビットデジタルオーディオ信号に対応し上記第１の層に記録された上記マルチビットデジタルオーディオ信号に比して高音質な第２の層に記録された１ビットデジタルオーディオ信号との比較再生を命令する音質比較操作手段と、
上記音質比較操作手段の操作に応じて、上記第１の層に記録されたマルチビットデジタルオーディオ信号と、上記マルチビットデジタルオーディオ信号に比して高音質な上記第２の層に記録された１ビットデジタルオーディオ信号の再生を行う再生手段と、
上記再生手段によって上記第１の層から再生されたマルチビットデジタルオーディオ信号を所定量蓄積する第１のメモリ手段と、
上記再生手段によって上記第２の層から再生された上記マルチビットデジタルオーディオ信号に比して高音質な１ビットデジタルオーディオ信号を所定量蓄積する第２のメモリ手段と、
上記第１のメモリ手段に記憶されたマルチビットデジタルオーディオ信号と上記第２のメモリ手段に記憶された上記マルチビットデジタルオーディオ信号に比して高音質な１ビットデジタルオーディオ信号を連続して再生するように上記第１のメモリ手段及び上記第２のメモリ手段を制御することのできるメモリ制御手段と、
を備えたことを特徴とするマルチレイヤーディスク再生装置。
【請求項２】
第１のサンプリング周波数で量子化されたマルチビットデジタルオーディオ信号が記録された第１の層と、上記第１のサンプリング周波数と比して十分高い第２のサンプリング周波数で量子化された上記マルチビットデジタルオーディオ信号に比して高音質な１ビットデジタルオーディオ信号が記録された第２の層から構成されるマルチレイヤーディスクを再生することのできるマルチレイヤーディスク再生方法において、
上記第１の層に記録されたマルチビットデジタルオーディオ信号と、上記第１の層に記録されたマルチビットデジタルオーディオ信号に対応し上記第１の層に記録された上記マルチビットデジタルオーディオ信号に比して高音質な第２の層に記録された１ビットデジタルオーディオ信号との比較再生を命令する音質比較操作キーが操作がなされたか否かを判別する判別工程と、
上記判別工程にて上記音質比較操作キーの操作がなされたと判別された場合には、上記第１の層に記録されたマルチビットデジタルオーディオ信号と、上記マルチビットデジタルオーディオ信号に比して高音質な上記第２の層に記録された１ビットデジタルオーディオ信号の再生し、上記第１の層から再生されたマルチビットデジタルオーディオ信号と、上記第２の層から再生された上記マルチビットデジタルオーディオ信号に比して高音質な１ビットデジタルオーディオ信号とをメモリに蓄積する蓄積工程と、
上記メモリに記憶されたマルチビットデジタルオーディオ信号と上記マルチビットデジタルオーディオ信号に比して高音質な１ビットデジタルオーディオ信号を連続してメモリから再生するようにメモリを制御する制御工程と
を備えたことを特徴とするマルチレイヤーディスク再生方法。
【発明の詳細な説明】
【０００１】
【発明の属する技術分野】
本発明は、例えば第１の品質のオーディオ信号を第１の層に記録し、上記第１の品質より高い品質の第２のオーディオ信号を第２の層に記録したマルチレイヤーディスクの再生装置及び再生方法に関するものである。
【０００２】
【従来の技術】
現在、コンパクトディスク（以降ＣＤともいう）より大容量な新たな光ディスクＤＶＤ（Digital Versatile Disc）が提案されつつある。
このＤＶＤは直径１２ｃｍの光ディスクに従来のＣＤのトラックピッチ１．６μｍの半分の０．８μｍで情報を記録し、半導体レーザの波長をＣＤの７８０ｎｍから６３０ｎｍに変更し、更にＣＤで採用されたＥＦＭ（Eight to Fourteen Modulation）変調方式に改良を加えて片面で約４Ｇバイト相当の高密度記録を実現させている。
このようなＤＶＤにおいては、記録層として２つの層（レイヤー）を備えたマルチレイヤーディスクが最近提唱されている。
【０００３】
【発明が解決しようとする課題】
このマルチレイヤーディスクの場合において、一方のレイヤーに４４．１ＫＨｚでサンプリングされた１６ビットデジタルオーディオ信号を記録し、他方の層にサンプリング周波数を上記４４．１ＫＨｚの１６倍という非常に高いサンプリング周波数である２．８４２ＭＨｚでΣΔ変調された１ビットデジタルオーディオ信号を記録するものとする、高品質のデジタルオーディオディスクを本出願人は提唱している。
そして音楽等のデータ内容（プログラム）としては、各レイヤーで同一の内容（例えば同一の曲）とされ、従ってその同一内容のデータが、ＣＤレベルの通常品質のデータとして一方のレイヤーに記録されるとともに、より高品質なデータが他方のレイヤーに記録されるようにする。
【０００４】
このようなマルチレイヤーディスクにおいては、一方のレイヤーとして４４．１ＫＨｚでサンプリングされた１６ビットデジタルオーディオ信号が記録された層を備えているので、現在市場で普及しているコンパクトディスクプレーヤーに対しても再生可能となる。
更にＣＤプレーヤ等の再生装置においてサンプリング周波数２．８４２ＭＨｚでΣΔ変調された１ビットデジタルオーディオ信号に対応するデコーダを備えれば、上記他方のレイヤーに記録された新たなフォーマットのデータも再生できる再生装置が実現される。
即ちこのような再生装置においては、両方のレイヤーからの再生を可能にすることで、一般に多数所有されているコンパクトディスクも再生でき、かつ上記新たに提案されるマルチレイヤーディスクに対しても再生可能になる。
【０００５】
従来から販売されてるコンパクトディスクと新たに提唱されているマルチレイヤーディスクでは、外観はほぼ同じである。またマルチレイヤーディスクの一方のレイヤには、従来から販売されてるコンパクトディスクとのダウンコンパチビリテイーを守るために同一フォーマットのデータ、つまり４４．１ＫＨｚサンプリング、１６ビット量子化、ＥＦＭ変調のデジタルオーディオ信号を記録するようにしている。
なお説明上、このようにＣＤ方式のデータが記録された側のレイヤを、以下ＣＤレイヤーといい、また他方のレイヤー、つまりサンプリング周波数２．８４２ＭＨｚでΣΔ変調された１ビットデジタルオーディオ信号が記録される側のレイヤーをＨＤ（Hi-Definition）レイヤーと呼ぶこととする。
【０００６】
ところで、従来異種の記録媒体を順次再生する場合、例えばアナログレコードとコンパクトディスクの音質評価を行うために両記録媒体から同一の楽曲等を再生する場合には、アンプにレコードプレーヤーとコンパクトディスクプレーヤ（以降ＣＤプレーヤー）を接続し、レコードプレーヤを再生している期間はＣＤプレーヤーを再生待機状態に制御するとともにレコードから所定期間再生を終了したならば、セレクターをレコードからＣＤに切換えてＣＤプレーヤーからの再生を開始するという手順をふまなければならなかった。
【０００７】
このような煩雑な操作をユーザに強いるとともに、レコードからＣＤへの切換えを連続的に行うことは無理なので時間的に連続した再生音の完全な音質評価を行うことが無理であった。
一方、例えば販売店での試聴を上記マルチレイヤーディスクの両方の層の音質評価を簡易的にできれば便利であるとともに販売促進にもつながる。
【０００８】
上述したマルチレイヤーディスクの内容を比較するには一端４４．１ＫＨｚでサンプリングされた1６ビットデジタルオーディオ信号を所定時間再生した後に、２．８４２ＭＨｚでΣΔ変調された１ビットデジタルオーディオ信号をすぐに再生できれば聴感上の比較が時系列的に連続的に行え、オーディオの品質を正確に比較でき便利である。
このような事情に鑑みて本発明では、上記２つのフォーマット間でのオーディオ品質の相違を聴感上体感できる再生装置及び再製方法を提供することにある。
【０００９】
【課題を解決するための手段】
そこで本発明としては、第１のサンプリング周波数で量子化されたマルチビットデジタルオーディオ信号が記録された第１の層と、上記第１のサンプリング周波数と比して十分高い第２のサンプリング周波数で量子化された上記マルチビットデジタルオーディオ信号に比して高音質な１ビットデジタルオーディオ信号が記録された第２の層から構成されるマルチレイヤーディスクを再生することのできるマルチレイヤーディスク再生装置において、上記第１の層に記録されたマルチビットデジタルオーディオ信号と、上記第１の層に記録されたマルチビットデジタルオーディオ信号に対応し上記第１の層に記録された上記マルチビットデジタルオーディオ信号に比して高音質な第２の層に記録された１ビットデジタルオーディオ信号との比較再生を命令する音質比較操作手段と、上記音質比較操作手段の操作に応じて、上記第１の層に記録されたマルチビットデジタルオーディオ信号と、上記マルチビットデジタルオーディオ信号に比して高音質な上記第２の層に記録された１ビットデジタルオーディオ信号の再生を行う再生手段と、上記再生手段によって上記第１の層から再生されたマルチビットデジタルオーディオ信号を所定量蓄積する第１のメモリ手段と、上記再生手段によって上記第２の層から再生された上記マルチビットデジタルオーディオ信号に比して高音質な１ビットデジタルオーディオ信号を所定量蓄積する第２のメモリ手段と、上記第１のメモリ手段に記憶されたマルチビットデジタルオーディオ信号と上記第２のメモリ手段に記憶された上記マルチビットデジタルオーディオ信号に比して高音質な１ビットデジタルオーディオ信号を連続して再生するように上記第１のメモリ手段及び上記第２のメモリ手段を制御することのできるメモリ制御手段と、を備えるようにする。
即ち、第１の層のデータと第２の層のデータが、それぞれ第１、第２のメモリ手段から連続的に再生出力されるようにするため、各層に記録されたデータの音質評価を簡易に行うことができる。
また第１の層及び第２の層に記録されるプログラムは同一音源であるとするとともに、第１のメモリ手段に記憶されている一方の層から再生されたオーディオ信号に対応するオーディオ信号を他方の層から再生し第２のメモリ手段に記憶するようにすると、第１の層と第２の層に記録された同一の音声内容が順次再生出力されるため、より音質比較に好適となる。
【００１０】
【発明の実施の形態】
以下、本発明に係るマルチディスク再生装置の実施の形態を以下の順序で説明する。
１．マルチレイヤーディスクの構造
２．再生装置の構成
３．再生装置の外観
４．音質比較のための再生動作
【００１１】
１．マルチレイヤーディスクの構造
図１に本例の再生装置に適応されるマルチレイヤーディスクの構造を示す。
このマルチレイヤーディスクは、直径略１２ｃｍ、厚み１．２ｍｍの光学式ディスクとされ、層構造としては図示するように、上面側のレーベル面１０５、ＣＤレイヤー１０１、ＣＤサブストレート１０３、ＨＤレイヤー１０２、ＨＤサブストレート１０４、リード面１０６となっている。
【００１２】
この構造からわかるように記録層としてＣＤレイヤー１０１、ＨＤレイヤー１０２という２つの層が形成されており、一方のレイヤー（ＣＤレイヤー１０１）には従来からＣＤなどで知られている４４．１ＫＨｚでサンプリングされた１６ビットデジタルオーディオ信号を記録し、他方のレイヤー（ＨＤレイヤー１０２）にはサンプリング周波数を上記４４．１ＫＨｚの１６倍の非常に高いサンプリング周波数である２．８４２ＭＨｚでΣΔ変調された１ビットデジタルオーディオ信号を記録してある。
【００１３】
周波数帯域としてはＣＤレイヤー１０１は５〜２０ＫＨｚを実現し、ＨＤレイヤー１０２はＤＣ成分〜１００ＫＨｚの広範囲の周波数帯域が実現できる。
ダイナミックレンジは、 ＣＤレイヤー１０１ではオーディオ帯域全体で９８（ｄＢ）を実現し、ＨＤレイヤー１０２はオーディオ帯域全体で１２０（ｄＢ）の周波数帯域が実現できる。
【００１４】
ＣＤレイヤー１０１の最小ピット長は０．８３μｍに対して、ＨＤレイヤー１０２の最小ピット長は０．４μｍである。
トラックピッチに関しては、ＣＤレイヤー１０１は１．６μｍに対して、ＨＤレイヤー１０２は０．７４μｍである。
また、読み出しレーザー波長としては、ＣＤレイヤー１０１は７８０ｎｍに対して、ＨＤレイヤー１０２は６５０ｎｍと短波長化を図った。
更に光学ピックアップのレンズの開口率（ＮＡ）をＣＤレイヤー１０１は０．４５に対して、ＨＤレイヤー１０２は０．６とした。
【００１５】
このように、最小ピット長、トラックピッチ、レンズ開口率ＮＡ、レーザー波長を変化させることで、ＣＤレイヤー１０１のデータ容量は７８０ＭＢに対してＨＤレイヤー１０２のデータ容量は４．７ＧＢとはるかに大きいデータ容量が記録できる。
【００１６】
２．再生装置の構成
図２に本例の再生装置のブロック図を示す。
光ディスク１は、上述したマルチレイヤーディスク又は従来から知られているコンパクトディスクである。
この光ディスク１は、図示しないターンテーブルに載置され、スピンドルモータ２によってＣＬＶ(線速度一定：constant liner velocity)に回転制御される。
【００１７】
光学ヘッド３は、図示しない対物レンズ、２軸機構、半導体レーザ、及び上記半導体レーザの出射光が光ディスク１の表面で反射して、その反射光を受光する受光部とを有して構成されている。
そして上記ターンテーブルに載置されている光ディスクがマルチレイヤーディスクの場合は、そのＣＤレイヤー１０１を再生する場合には７８０nmの波長を出射する半導体レーザが用いられ、ＨＤレイヤー１０２を再生する場合は６８０nmの短波長の半導体レーザが用いられるように光路を切換える。
また、光学ヘッド３には２つの対物レンズが備えられており、ＣＤレイヤー１０１を再生する場合には開口率０．４５のレンズが用いられ、ＨＤレイヤー１０２を再生する場合は開口率０．６のレンズが用いられるように光路を切換える。装填された光ディスク１がＣＤの場合は、マルチレイヤーディスクのＣＤレイヤ１０１を再生する場合と同様となる。
【００１８】
なお、ホログラム一体型非球面レンズを用いれば、上述したような光学ヘッド３内部に２つの対物レンズを設ける必要が無く、１つのレンズで半導体レーザの光路を切換えるのみで構成でき、そのような光学ヘッドを用いてもよい。
【００１９】
上記２軸機構には、上記対物レンズを光ディスク１に接離する方向に駆動するフォーカス用コイルと、上記対物レンズを光ディスク１の半径方向に駆動するトラッキング用コイルとが形成されている。
また、この再生装置には、光学ヘッド３全体を光ディスク１の半径方向に大きく移動させるスレッドモータ（図示せず）を更に備えている。
【００２０】
光学ヘッド３内の上記受光部にて検知した反射光はＲＦアンプ４に供給され、このＲＦアンプ４での電流電圧変換、マトリクス演算処理により、フォーカスエラー信号ＦＥ、トラッキングエラー信号ＴＥが生成されるとともに再生情報としてのＲＦ信号も生成される。
【００２１】
生成されたフォーカスエラー信号ＦＥ、トラッキングエラー信号ＴＥはサーボ回路５にて位相補償回路、利得調整をされたのちに駆動回路６を介して上述したフォーカス用コイルと、トラッキング用コイルとに印加される。
さらに上記トラッキングエラー信号ＴＥをサーボ回路５内にてＬＰＦ（low pass filter）を介してスレッドエラー信号を生成して駆動回路６を介してスレッドモータに印加される。
【００２２】
更にＲＦアンプ４にて生成されたＲＦ信号は、載置されている光ディスク１がＣＤの場合は、エラー訂正及びデコーダ回路７において、２値化してＥＦＭ復調(eight to fourteen demodulation )を行うとともにＣＩＲＣ（cross interleave read solomon coding）によるエラー訂正処理を行った後にメモリコントローラー８に入力される。
一方、上記ターンテーブルに載置されている光ディスク１がマルチレイヤーディスクの場合において、ＣＤレイヤー１０１を再生する場合には、上述のＣＤの場合と同様にエラー訂正及びデコーダ回路７において２値化、ＥＦＭ復調、ＣＩＲＣエラー訂正処理が行なわれてメモリコントローラ８に供給される。
マルチレイヤーディスクのＨＤレイヤー１０２を再生する場合にはエラー訂正及びデコーダ回路７において２値化してＥＦＭ-Ｐｌｕｓ復調(eight to fourteen demodulation Plus)を行うとともに積符号(product code)に基づくエラー訂正処理が行なわれることになる。
【００２３】
またエラー訂正及びデコーダー回路７では２値化したＥＦＭ信号もしくはＥＦＭプラス信号の基準クロックとの比較により速度エラー信号及び位相エラー信号を生成して駆動回路６に供給することで光ディスク１をスピンドルモーター２にて回転制御する。
更にエラー訂正及びデコーダー回路７では２値化したＥＦＭ信号又はＥＦＭプラス信号に基づいてＰＬＬ（Phase Locked loop）の引き込み動作を制御する。
【００２４】
エラー訂正後の２値化データは、メモリコントローラ８を介して所定の転送レートでバッファメモリ９に書き込まれる。
バッファメモリ９に所定量以上のデータが蓄積されたらバッファメモリ９から書き込みの転送レートより十分遅い第２の転送レートにて読み出しを行う。
このようにバッファメモリ９に一旦データを蓄えてからオーディオデータとして出力するようにしたので、例えば振動等の外乱によってトラックジャンプが生じて光学ヘッド３からの連続したデータ読み出しが途絶えたとしても、光学ヘッド３のトラックジャンプが発生したアドレスへの再配置に要する時間に相当するデータは予めバッファメモリ９に蓄積されているのでオーディオ出力としては連続したオーディオデータ出力が実現できる。
【００２５】
尚、メモリコントローラ８はシステムコントローラ１１によって制御されている。
メモリコントローラー８によってバッファメモリ９から読み出されたデジタルデータはＤ／Ａコンバーター１０にてアナログオーディオ信号に変換され、右チャンネル出力、左チャンネル出力として出力される。
【００２６】
システムコントローラ１１は、操作部１２としての各種の操作キーの操作に応じて各種サーボ用のコマンドをサーボ回路５に転送したり、メモリコントローラ８に対してバッファメモリ９の制御の指令を与えたり、演奏経過時間や再生しているプログラムのタイトル等の文字情報の表示を表示部１３に表示するように制御を行ったり、エラー訂正・デコーダー回路７でのスピンドルサーボ制御やデコーダ制御を行うようにする。
【００２７】
３．再生装置の外観
図３に本例の再生装置の外観図（正面パネル）を示す。
トレイ２１に光ディスク１が載置され、再生装置内部に収納される。
表示部１３には、トラックナンバや、再生している曲などに対応する演奏時間、さらには現在再生してるのがＣＤレイヤー１０１（もしくはＣＤ）なのかＨＤレイヤー１０２なのかを示す表示を行う。
【００２８】
上記操作部１２を構成する各種操作子が図示するように設けられる。
ＣＤ／ＨＤ切換キー２３はマルチレイヤーディスクが収納されている場合に、再生するレイヤーの選択を行うときに操作されるキーである。
【００２９】
Ｃｏｍｐキー２８は本例の特徴的な動作に係る操作子である。
Ｃｏｍｐキー２８が操作されると、システムコントローラ１１の制御に基づくメモリコントローラ８等の動作よって、マルチレイヤーディスクの一方（ＣＤレイヤー１０１）に記録された４４．１ＫＨｚでサンプリングされた１６ビットデジタルオーディオ信号を所定時間再生しバッファメモリ９に蓄積し、続いて他方（ＨＤレイヤー１０２）に記録されたサンプリング周波数２．８４２ＭＨｚでΣΔ変調された１ビットデジタルオーディオ信号を再生しバッファメモリ９に蓄積する。その後に、バッファメモリ９に蓄積されている２つのフォーマットのオーディオ信号を順次読み出して再生出力を行うようにする。なお詳細な動作手順は後述する。
また本例ではバッファメモリ９を利用することでこのような動作のために特別なメモリを再生装置に搭載する必要はないものとしているが、もちろん専用のメモリを設けてもよい。
【００３０】
さらに図３に示すように、この再生装置は、その他の操作子として再生指示／一時停止キー２４、選曲動作行う為のＡＭＳ(auto music sensor)キー２５、２６と、再生停止キー２７などを備えている。
【００３１】
４．音質比較のための再生動作
図４に本例の再生装置において実現される音質比較のための再生動作のための処理のフローチャートを示す。このフローチャートはシステムコントローラ１１による制御処理となる。
【００３２】
システムコントローラ１１はステップＳＰ１にて現在再生中か否かを判別する。現在再生中であれば、Ｃｏｍｐキー２８が押圧されたか否かをステップＳＰ２にて判断し、押圧されなければ通常再生を続けて行う（ステップＳＰ１４）。
【００３３】
ステップＳＰ２にてＣｏｍｐキー２８が押圧された場合は、ステップＳＰ３にて押圧されたときに再生していたデータのディスク１上でのアドレスをレジスタＲｅｇ１に記憶する。
そして、ステップＳＰ４にてレジスタＲｅｇ１に記憶したアドレスにオフセット値Ｘを加算して、加算結果をレジスタＲｅｇ２に記憶する。
このオフセット値Ｘは、例えば再生音声として５秒程度に相当するアドレス長とする。従って、レジスタＲｅｇ２のアドレスは、レジスタＲｅｇ１に記憶した現在再生中であったアドレスから５秒後に再生されるデータのアドレスに相当することになる。
なお、オフセット値Ｘは５秒相当に限定されるものではなく、音質比較のための適切な時間長に設定されればよい。
【００３４】
続いてステップＳＰ５にて、レジスタＲｅｇ１、Ｒｅｇ２に記憶されているアドレスを起点アドレス、終点アドレスとして挟まれる区間を再生して（それまで再生中であった方のレイヤーから再生して）、再生されたオーディオデータをバッファメモリ９に記憶する。
【００３５】
レジスタＲｅｇ１、Ｒｅｇ２に記憶されている起点アドレス、終点アドレスにて挟まれる区間を再生し終わったら、続いてステップＳＰ６にて、再生するレイヤーを他方のレイヤーに切り換える処理を行う。
再生レイヤー切換制御としては、具体的には、フォーカスをかけるレイヤーの切替えなどの各種サーボ系の切替え、光学ピックアップの光路切替えや、エラー訂正及びデコード回路７の信号処理系の切替えを行うことになる。
【００３６】
各種レイヤー切替処理の後に、ステップＳＰ７にて管理領域であるＴＯＣ(table of content)データを再生して取り込み、ステップＳＰ８にてＴＯＣデータに基づいて、レジスタＲｅｇ１に記憶されているアドレスをターゲットにアクセス制御を行う。
そしてステップＳＰ９にてレジスタＲｅｇ１、Ｒｅｇ２に記憶されているアドレスを起点アドレス、終点アドレスとして、既にバッファメモリ９に蓄積されているデータと同一内容の他方のレイヤーのオーディオデータをバッファメモリ９の別なエリアに記憶する。
【００３７】
以上の制御により、バッファメモリ９には、一方のレイヤー（例えばＣＤレイヤー１０１）の所定期間のオーディオデータと、他方のレイヤー（例えばＨＤレイヤー１０２）の所定期間のオーディオデータが共に記憶されたことになる。
このようにバッファメモリ９への両方のレイヤーのオーディオデータの記憶処理が終了した後にステップＳＰ１０にてバッファメモリ９からのデータ読み出しを開始する。
【００３８】
バッファメモリ９からのデータ読み出し中に再度Ｃｏｍｐキー２８が押圧されたかをステップＳＰ１１にて判断し、押圧されていない場合はバッファメモリ９からのデータ読み出しを繰り返す。
つまり、例えばまずＣＤレイヤー１０１から再生され蓄積された所定期間分のオーディオデータがバッファメモリ９から読み出されて再生出力され、それが終わったら続いて、ＨＤレイヤー１０２から再生され蓄積された所定期間分のオーディオデータがバッファメモリ９から読み出されて再生出力される。さらにそれが終わったら、再びＣＤレイヤー１０１から再生され蓄積された所定期間分のオーディオデータがバッファメモリ９から読み出されて再生出力されるというように繰り返される。
【００３９】
即ちステップＳＰ１１でＣｏｍｐキー２８が押圧されるまでの間は、バッファメモリ９に蓄積されたＣＤレイヤー１０１側のデータとＨＤレイヤー１０２側のデータ（音声内容としては同一でサンプリング周波数などのデータフォーマットが異なるデータ）が、順番に繰り返し再生出力される。
従って、ユーザーは同一内容の音声について、両レイヤーのデータとしての音質の差をはっきりと認識することができ、音質比較、音質評価を、簡易かつ正確に行うことができる。
【００４０】
ステップＳＰ１１にて、バッファメモリ９からのデータ読出中に再度Ｃｏｍｐキー２８が押圧された場合は、バッファメモリ９からのオーディオデータの読み出し（上記順次読み出し）を停止して、通常再生に移行する（ステップＳＰ１２）。つまりバッファメモリ９は、本来のバッファメモリとして用いられ、ディスク１から読み出されてデコードされたデータがバッファメモリ９を介して再生出力されていく。
【００４１】
なお、ステップＳＰ１０でのバッファメモリ９からの両レイヤーデータの順次読出を行っている期間は、光学ヘッド３による光ディスク１からの再生動作は停止もしくは一時停止状態にしておく。
例えばレジスタＲｅｇ１又はＲｅｇ２に記憶されているアドレスにおいての一時停止状態にしておくことや、完全なる停止状態にしておくことが考えられる。一時停止にしておくこととすると、ステップＳＰ１１で再度Ｃｏｍｐキーが押圧された場合、通常再生に移行する動作がスムースに行える。つまりサーボ系等の立ち上げ処理を経ずに即座に通常再生動作に移行できる。
また一時停止又は停止にしておく際には、レイヤー設定に関しては、例えばステップＳＰ２でのＣｏｍｐキー２８の操作前に再生されていた側のレイヤーに対応する状態としておくことが考えられる。但し、あえて逆のレイヤーのまま（ステップＳＰ６で切り換えられた先のレイヤー）としてもよい。
【００４２】
ところで変形例として、バッファメモリ９からの両レイヤーデータの順次読出を行っている期間は、各再生出力されるデータの元々の記録層をユーザーが識別できる表示を行うことが考えられる。
即ちバッファメモリ９からＣＤレイヤーのデータを読み出して再生している期間は、図３の表示部１３内のＣＤエレメントを点灯させ、ＨＤレイヤーのデータを読み出して再生している期間は、ＨＤエレメントを点灯させるようにする。
【００４３】
この場合には、ステップＳＰ５、ＳＰ９での各読出動作時（バッファメモリ９への蓄積動作時）に、図５に示すようにデータの記録されたレイヤーを種別するフラグをオーディオデータに付加してバッファメモリ９に記憶するようにする。例えばフラグ「１」はＨＤレイヤのデータ、フラグ「０」はＣＤレイヤのデータとする。
そしてステップＳＰ１０でのバッファメモリ９からのデータ読み出し時にシステムコントローラ１１は、読み出されていく各オーディオデータに対して上記フラグ判別を行っていき、その判別に応じて表示部１３内のＣＤエレメントもしくはＨＤエレメントを点灯させるようにする。
【００４４】
なお、各レイヤーに対応して記憶領域が設定されているような場合や、各レイヤーに対応する専用のメモリが搭載されている場合など、システムコントローラ１１が蓄積されたデータに関して元々の記録レイヤーを判別できる場合は、このようなフラグを付する必要はない。
【００４５】
以上実施の形態の例を説明してきたが、本発明としての変形例や適用範囲は多様に考えられる。
例えば上記例では２層式ディスクの一方のレイヤに４４．１ＫＨｚでサンプリングされた１６ビットデジタルオーディオ信号を、他方にサンプリング周波数２．８４２ＭＨｚでΣΔ変調された１ビットデジタルオーディオ信号を記録するものとしたが、例えば２層式ディスクの一方に４４．１ＫＨｚでサンプリングされた１６ビットデジタルオーディオ信号を、他方にサンプリング周波数４８×ｎ（ＫＨｚ）（ｎは２以上の整数）で量子化されたｍビット（ｍは１７以上）デジタルオーディオ信号を記録したものでも良い。
更に変形例として２層に限定されるのではなく、３層以上の多層ディスクの各々のレイヤーに対してサンプリング周波数が異なり、量子化ビット数の異なるデジタルオーディオ信号を記録してもよい。
【００４６】
【発明の効果】
以上説明したように本発明では、マルチレイヤーディスクの一方の層に記録されたデータ（例えば４４．１ＫＨｚでサンプリングされた１６ビットデジタルオーディオ信号）を所定時間再生出力した後に、他方の層に記録されたデータ（例えばサンプリング周波数２．８４２ＭＨｚでΣΔ変調された１ビットデジタルオーディオ信号）が所定時間再生出力され、このような動作が繰り返されることになるため、ユーザーは各層のデータの聴感上の相違をはっきりと認識でき、品質の差異を体感できるという効果がある。
【００４７】
特に同一内容のデータ（プログラム、コンテンツ）を各層にそれぞれのフォーマットで記録を行ったマルチレイヤーディスクにおいては、同一プログラムの同一箇所、つまり同一内容のデータを各々時系列的に連続して再生することができるため、音楽のソースのジャンルなどに依存しない比較が行え、ユーザーは音質の差異をより明確に認識できる。
【００４８】
また第１、第２のメモリ手段（上記例におけるバッファメモリ９の各レイヤーデータの記録領域）に蓄積してから、それを読み出して再生出力するため、ディスクアクセスや再生層切換などに伴う曲間（無音）部を発生させることはなく、純粋に時系列的に連続した再生音の評価が行えるという効果がある。
【図面の簡単な説明】
【図１】本発明の実施の形態の再生装置に対応できるマルチレイヤーディスクの構造の説明図である。
【図２】実施の形態の再生装置のブロック図である。
【図３】実施の形態の再生装置の正面パネルの説明図である。
【図４】実施の形態の音質比較のための処理例のフローチャートである。
【図５】実施の形態のバッファメモリでの蓄積形態例の説明図である。
【符号の説明】
１  光ディスク、２  スピンドルモータ、３  光学ヘッド、４  ＲＦアンプ、５  サーボ回路、６  駆動回路、７  エラー訂正及びデコード回路、８  メモリコントローラ、９  バッファメモリ、１０  Ｄ／Ａコンバータ、１１  システムコントローラ、１２  操作部、１３  表示部、２４  再生キー、２７  停止キー、２８  Ｃｏｍｐキー、１０１  ＣＤレイヤー、１０２  ＨＤレイヤー
【図１】
0003972456.tif 000002
【図２】
0003972456.tif 000003
【図３】
0003972456.tif 000004
【図４】
0003972456.tif 000005
【図５】
0003972456.tif 000006